(57)【特許請求の範囲】
【請求項１】
複数の個包装体と、前記複数の個包装体を内包する携帯用包装袋と、を備える携帯用包装体であって、
前記個包装体は、
吸収コアを有する吸収体を含む吸収性物品と、
前記吸収性物品を包む包装シートと、を備え、
前記吸収コアは折れ曲がっておらず、
前記携帯用包装袋は、
底面部と、
前記底面部の周縁から立設された筒状の側面部と、
前記側面部における前記底面部とは反対側の上端部から所定距離だけ低い位置に設けられた開閉可能なファスナーと、を備え、
前記底面部は、前記携帯用包装袋が正立位置で自立姿勢を維持可能とする底面積を有し、
前記側面部は、
矩形形状を有する第１の側面部及び第２の側面部と、
前記第１の側面部の対向する二辺と前記第２の側面部の対向する二辺とが接合され、前記底面部から前記上端部まで延びる第１の側縁部及び第２の側縁部と、を有し、
前記複数の個包装体が、前記個包装体の厚み方向に互いに重なり合った状態で、前記携帯用包装袋内に配置されたとき、
前記個包装体は、前記携帯用包装袋の高さ方向に対して前記個包装体の厚み方向が交差し、前記携帯用包装体の厚み方向に対して前記個包装体の厚み方向が平行になるように前記携帯用包装袋内に配置され、
前記個包装体は、前記ファスナーに向かい合う第１の端部と、前記第１の端部の反対側にあり前記底面部に向かい合う第２の端部と、前記第１の側縁部に向かい合う第３の端部と、前記第２の側縁部に向かい合う第４の端部と、を有し、
前記第１の端部は前記ファスナーから離間し、前記第２の端部は前記底面部に接し、前記第３の端部は前記第１の側縁部から離間し、前記第４の端部は前記第２の側縁部から離間し、
前記複数の個包装体のうち、
前記第１の側面部に対面する個包装体において、前記第１の側面部に対面する第１の対向面のうちの前記ファスナー側の端部が前記第１の側面部に接し、前記第１の対向面のうちの前記ファスナー側の端部を除く残りの部分が前記第１の側面部に接しておらず、
前記第２の側面部に対面する個包装体において、前記第２の側面部に対面する第２の対向面のうちの前記ファスナー側の端部が前記第２の側面部に接し、前記第２の対向面のうちの前記ファスナー側の端部を除く残りの部分が前記第２の側面部に接しておらず、
前記第１の側面部に対面する個包装体と前記第２の側面部に対面する個包装体との間の他の個包装体は、前記第１の側面部及び前記第２の側面部に接しておらず、
前記個包装体内にある前記吸収コアにおいて、前記ファスナー側の端部は前記第１の端部から前記底面部側へ離間し、前記底面部側の端部は前記第２の端部から前記ファスナー側へ離間し、前記第１の側縁部側の端部は前記第３の端部から前記第２の側縁部側へ離間し、前記第２の側縁部側の端部は前記第４の端部から前記第１の側縁部側へ離間し、
前記携帯用包装袋は、ガスバリア性を有するシートで形成されていて、
前記携帯用包装袋内の圧力は標準気圧よりも高い、
携帯用包装体。
【請求項２】
前記吸収性物品及び前記包装シートは、
積層された状態かつ折り畳まれた状態で、前記携帯用包装袋に内包されており、
展開された状態で、前記吸収性物品の長手方向における前記吸収コアの両端部の外側に、前記吸収性物品の幅方向に沿う第１の折り目を有し、かつ、前記吸収性物品の幅方向における前記吸収コアの両端部の外側に、前記吸収性物品の長手方向に沿う第２の折り目を有し、
前記第１の折り目で折り畳まれた状態で、前記個包装体の前記第１の端部及び前記第２の端部は前記第１の折り目に対応する部分で形成され、
前記第２の折り目で折り畳まれた状態で、前記個包装体の前記第３の端部及び前記第４の端部は前記第２の折り目に対応する部分で形成される、
請求項１に記載の携帯用包装体。
【請求項３】
前記個包装体は香料を有する、
請求項１又は２に記載の携帯用包装体。
【請求項４】
前記携帯用包装袋内は、ガスバリア層と融着層とを備え、
前記融着層の厚みは前記ガスバリア層の厚みよりも厚い、
請求項１乃至３のいずれか一項に記載の携帯用包装体。
【請求項５】
前記携帯用包装袋内は、前記ガスバリア層と前記融着層との間に印刷層を含む、
請求項４に記載の携帯用包装体。
【請求項６】
前記個包装体は、前記包装シートに貼り付けられたリードテープを有し、
前記リードテープのつかみ部は、前記ファスナーとは反対側に向いている、
請求項１乃至５のいずれか一項に記載の携帯用包装体。
【請求項７】
前記吸収コアは、前記吸収体の他の部分と比較して、厚みが大きい又は坪量が多い、
請求項１乃至６のいずれか一項に記載の携帯用包装体。
【発明の詳細な説明】
【技術分野】
【０００１】
本発明は、複数の個包装体を内包する携帯用包装体に関する。
【背景技術】
【０００２】
複数の紙おむつを携帯用に包装した携帯用紙おむつ包装体が知られている。例えば、特許文献１には、非通気性シート製の包装袋内に少枚数の紙おむつを収容してなる携帯用紙おむつ包装体であって、包装袋は正立位置で自立姿勢を維持する底面積を持つ袋であるとともに、該包装袋の開口部に再封止できるジッパーを設けたことを特徴とする携帯用紙おむつ包装体が開示されている。
【先行技術文献】
【特許文献】
【０００３】
【特許文献１】特開２００５−８１６４号公報
【発明の概要】
【発明が解決しようとする課題】
【０００４】
上記特許文献１の包装体では、ジッパーを閉じると、包装袋のジッパー近傍の部分では厚みを確保し難くなり、外力により潰され易くなる。その結果、包装袋内の紙おむつのジッパー近傍にある部分は潰れてしまうおそれがある。ここで、生理用ナプキンや軽失禁パッドのような吸収性物品では、吸収性物品の吸収体のうち特に吸収力を確保したい吸収コアを潰さないことが重要である。吸収コアが潰されると、吸収コアの吸収力が低下してしまい、所望の吸収力を確保できないおそれや、吸収性物品から液が漏れるおそれがあるからである。また、吸収コアを折り曲げると、折り曲げられた部分には折り目がついて厚みが低下して潰された状態になるので、吸収コアを折り曲げないことも大切である。したがって、上記特許文献１の包装体を生理用ナプキンや軽失禁パッドのような吸収性物品の包装体として用いる場合、吸収コアを折り曲げないような姿勢で吸収性物品を包装袋内に配置する必要がある。すなわち、吸収コアを包装体の底面部に対して立てた状態又は寝かせた状態で吸収性物品を包装袋内に配置する必要があり、包装体の底面部の面積を大きくし過ぎないようにする観点及び取り出し易さの観点から立てた状態が好適に選択される。この場合、吸収性物品は包装体の底面部に対して立った状態で包装体内に配置される。しかしそうなると、包装袋内では吸収性物品の上側の端部がジッパー近傍にあるため、その上側の端部が潰れてしまい、それにより吸収性物品の吸収コアを潰してしまうおそれがある。
【０００５】
上記特許文献１の紙おむつのように、吸収コアと考えられる部分を包装袋内のジッパー近傍の部分から遠ざけて、包装袋の底部近傍の部分に位置するようにすることも考え得る。しかし、上記特許文献１では吸収コアと考えられる部分を折り曲げているため、そのような方法は生理用ナプキンや軽失禁パッドのような吸収性物品には適用できない。また、包装体を大きくして内部空間に余裕を持たせれば、包装袋のジッパー近傍の部分が潰れることや、吸収コアに折れ目が付くことを防止できるが、鞄などに入れて持ち運ぶような携帯用という用途にはそぐわない。
【０００６】
本発明の目的は、内包された吸収性物品の吸収コアが潰れることを抑制することが可能な携帯用の包装体を提供することにある。
【課題を解決するための手段】
【０００７】
本発明によれば、複数の個包装体と、前記複数の個包装体を内包する携帯用包装袋と、を備える携帯用包装体であって、前記個包装体は、吸収コアを有する吸収体を含む吸収性物品と、前記吸収性物品を包む包装シートと、を備え、前記吸収コアは折れ曲がっておらず、前記携帯用包装袋は、底面部と、前記底面部の周縁から立設された筒状の側面部と、前記側面部における前記底面部とは反対側の上端部から所定距離だけ低い位置に設けられた開閉可能なファスナーと、を備え、前記底面部は、前記携帯用包装袋が正立位置で自立姿勢を維持可能とする底面積を有し、前記個包装体は、前記携帯用包装袋の高さ方向に対して前記個包装体の厚み方向が交差するように前記携帯用包装袋内に配置され、前記個包装体は、前記携帯用包装袋内に配置された状態で、前記ファスナーに向かい合う第１の端部と、前記第１の端部の反対側にあり前記底面部に向かい合う第２の端部とを有し、前記個包装体内にある前記吸収コアの前記ファスナー側の端部は、前記個包装体の前記ファスナー側の前記第１の端部から前記底面部側へ離間している、携帯用包装体が提供される。
【０００８】
このような携帯用包装体では、携帯用包装袋にて、ファスナーを閉じると、携帯用包装袋のファスナー近傍の部分の厚みを確保し難くなり、外力で潰され易くなる。そのため、本発明では、個包装体の第１の端部がファスナーに向かい合うように携帯用包装袋内に個包装体を配置すると共に、個包装体内にある吸収コアのファスナー側の端部をその第１の端部から離間させる。それにより、吸収コアのファスナー側の端部をファスナー近傍から離間でき、携帯用包装袋のファスナー近傍の部分が潰されても吸収コアが潰されることを抑制できる。それに加えて、吸収コアのファスナー側の端部をファスナー近傍から離間させるので、ファスナーの開口部に指を入れ、個包装体の第１の端部を指先でつまんで取り出すとき、吸収コアまでつまんでしまうおそれがなくなる。それにより、個包装体をつまみ易くできると共に、吸収コアをつまんで潰してしまうことを抑制できる。以上により、吸収コアの厚み・吸収力を確保でき、吸収性物品が変形したときに装着者が感じ得る違和感を低減できると共に、吸収性物品からの液漏れを防止できる。また、吸収性物品をトイレの中で使用するとき、例えばトイレットペーパーのカバーのような狭い領域上に携帯用包装体を自立させることができる。それにより、衛生的でない環境下でも携帯用包装体を手で持ち続ける必要がなく、吸収性物品の交換を容易に行うことが可能になる。また、携帯用包装体を販売等する場合、携帯用包装体を棚に１個ずつ自立させた姿勢で陳列できる。それにより、他の同種商品を陳列するときの陳列姿勢に比して、見栄えが良くなり、目に付き易くできる。
【０００９】
上記の携帯用包装体において、前記携帯用包装袋の前記側面部は、矩形形状を有する第１の側面部及び第２の側面部と、前記第１の側面部の対向する二辺と前記第２の側面部の対向する二辺とが接合され、前記底面部から前記上端部まで延びる第１の側縁部及び第２の側縁部と、を備え、前記個包装体は、前記携帯用包装袋内に配置された状態で、前記第１の側縁部及び前記第２の側縁部に向かい合う第３の端部及び第４の端部を有し、前記吸収コアの前記第１の側縁部側の端部及び前記第２の側縁部側の端部は、前記個包装体の前記第３の端部及び前記第４の端部から離間していてもよい。
【００１０】
このような携帯用包装体では、携帯用包装袋にて、第１・第２の側縁部の近傍の部分の厚みを確保し難く、外力により潰され易くなる。そのため、本発明では、個包装体の第３・第４の端部が第１・第２の側縁部に向かい合うように携帯用包装袋内に個包装体を配置すると共に、吸収コアの第１・第２の側縁部側の端部を第３・第４の端部から離間させる。それにより、吸収コアの第１・第２の側縁部側の端部を第１・第２の側縁部近傍から離間でき、携帯用包装袋の側縁部近傍の部分が潰されても吸収コアが潰されることを抑制できる。それにより、吸収コアの厚み・吸収力を確保でき、吸収性物品が変形したときに装着者が感じ得る違和感を低減できると共に、吸収性物品からの液漏れを防止できる。
【００１１】
上記の携帯用包装体において、前記吸収コアの前記底面部側の端部は、前記個包装体の前記底面部側の前記第２の端部から前記ファスナー側へ離間していてもよい。
【００１２】
このような携帯用包装体では、携帯用包装袋のファスナー近傍の部分が圧迫されて個包装体が底面部側に押し出されても、個包装体の底面部側の第２の端部が変形することにより個包装体にくわえる力を吸収・緩和するので、吸収コアの底面部側の部分が底面部に押し付けられて変形することを抑制できる。それにより、吸収コアの厚み・吸収力を確保することができる。
【００１３】
上記の携帯用包装体において、前記吸収性物品及び前記包装シートは積層された状態かつ折り畳まれた状態で前記携帯用包装袋に内包されており、前記吸収性物品及び前記包装シートは、展開された状態で、前記吸収性物品の長手方向における前記吸収コアの両端部の外側に、前記吸収性物品の幅方向に沿う第１の折り目を有し、前記吸収性物品及び前記包装シートが前記第１の折り目で折り畳まれた状態で、前記個包装体の前記第１の端部及び前記第２の端部は前記第１の折り目に対応する部分で形成されてもよい。
【００１４】
このような携帯用包装体では、吸収性物品及び包装シートは吸収コアの両外側に設けられた第１の折り目で折り畳まれるので、吸収コアのファスナー側の端部を個包装体のファスナー側の第１の端部から離間させることができ、吸収コアの底面部側の端部を個包装体の底面部側の第２の端部から離間させることができる。それにより、個包装体の第１の端部を指先でつまんで取り出すとき、吸収コアまでつまんでしまうおそれがなくなり、吸収コアの厚み・吸収力を確保することができる。また、第１の折り目が吸収性物品の幅方向に伸びているので、携帯用包装体の横方向（幅方向）から外力が加わっても吸収コアが潰れないようにすることができる。
【００１５】
上記の携帯用包装体において、前記吸収性物品及び前記包装シートは積層された状態かつ折り畳まれた状態で前記携帯用包装袋に内包されており、前記吸収性物品及び前記包装シートは、展開された状態で、前記吸収性物品の幅方向における前記吸収コアの両端部の外側に、前記吸収性物品の長手方向に沿う第２の折り目を有し、前記吸収性物品及び前記包装シートが前記第２の折り目で折り畳まれた状態で、前記個包装体の前記第３の端部及び前記第４の端部は前記第２の折り目に対応する部分で形成されてもよい。
【００１６】
このような携帯用包装体では、吸収性物品及び包装シートは吸収コアの両外側に設けられた第２の折り目で折り畳まれるので、吸収コアの第１・第２の側面部側の端部を個包装体の第１・第２の側面部側の第３・第４の端部から離間させることができる。それにより、吸収コアを外力で潰れ難くすることができ、吸収コアの厚み・吸収力を確保することができる。また、第２の折り目が吸収性物品の長手方向に伸びているので、携帯用包装体の縦方向（高さ方向）から外力が加わっても吸収コアが潰れないようにすることができる。
【００１７】
上記の携帯用包装体において、前記携帯用包装袋の前記側面部は、前記包装シートと前記吸収コアとが重なる前記包装シート内の領域に直接接触しない部分を有してもよい。
【００１８】
このような携帯用包装体では、携帯用包装袋の側面部に、包装シートと吸収コアとが重なる包装シート内の領域に、直接接触しない部分を設けることで、使用者が鞄などの中に入れて携帯用包装体を持ち運ぶとき、携帯用包装体が外力で変形しても、個包装体が変形する前にまず携帯用包装袋が変形することになる。すなわち、携帯用包装袋が緩衝材の役割を果たすので、個包装体が潰れ難くなり、皺が付き難くなる。それにより、吸収性物品の吸収力を確保でき、違和感の低減や液の漏れ防止できる。
【００１９】
上記の携帯用包装体において、前記携帯用包装袋は、ガスバリア性を有するシートで形成されてもよい。
【００２０】
このような携帯用包装体では、携帯用包装袋がガスバリア性を有するので、携帯用包装袋内部の気体が外部へ漏れ出なくなる。それにより、使用後の吸収性物品を包装シートに包み携帯用包装袋に収納して持ち運ぶときに悪臭の漏れを防ぐことができる。また、携帯用包装体が外力を受けても携帯用包装袋内部の気体が外部へ漏れ出ないので、携帯用包装袋の変形やそれに伴う携帯用包装袋内部の気体の移動や圧縮などで外力のエネルギーを分散させ、携帯用包装袋全体で吸収することができ、それにより、個包装体に加わる外力を緩和して、変形を抑制することができ、吸収性物品の吸収力を確保でき、違和感の低減や液の漏れ防止できる。
【００２１】
上記の携帯用包装体において、前記個包装体は香料を有してもよい。
【００２２】
このような携帯用包装体では、使用後の吸収性物品を包装シートに収納して持ち運ぶときに、使用後の吸収性物品からの悪臭の拡散を香料により防ぐことができ、それにより周囲を気にする必要がなくなる。また、携帯用包装袋がガスバリア性を有するので、携帯用包装袋内で香料が揮発すると、携帯用包装袋内の圧力が香料の蒸気圧分だけ梱包のときの圧力よりも高くなる。そのため、携帯用包装体が外力を受けても、携帯用包装袋の変形やそれに伴う携帯用包装袋内部の気体の移動や圧縮などで外力のエネルギーをより分散させ、携帯用包装袋全体でより吸収することができ、それにより、個包装体に加わる外力をより緩和して、より変形を抑制することができる。更に、携帯用包装袋がガスバリア性を有するので、販売等で陳列しているとき、吸収性物品の香料を外に逃がさないようにすることができる。 
【００２３】
上記の携帯用包装体において、前記携帯用包装袋内の圧力は標準気圧よりも高くてもよい。
【００２４】
このような携帯用包装体では、携帯用包装袋内の圧力が標準気圧（１０１３２５Ｐａ）よりも高いため、携帯用包装体が外力を受けても、携帯用包装袋の変形やそれに伴う携帯用包装袋内部の気体の移動や圧縮などで外力のエネルギーをより分散させ、携帯用包装袋全体でより吸収することができ、それにより、個包装体に加わる外力をより緩和して、より変形を抑制することができる。
【００２５】
上記の携帯用包装体において、前記携帯用包装袋内は、ガスバリア層と融着層とを備え、前記融着層の厚みは前記ガスバリア層の厚みよりも厚くてもよい。
【００２６】
このような携帯用包装体では、融着層が厚いので携帯用包装袋内での剥離を起こり難くできる。また、ガスバリア層が薄いので剛性が高くなく、携帯用包装袋内の個包装体の枚数が減ったときに携帯用包装袋を折りたたみ易くなり、より持ち運び易くなる。
【００２７】
上記の携帯用包装体において、前記携帯用包装袋内は、前記ガスバリア層と前記融着層との間に印刷層を含んでもよい。
【００２８】
このような携帯用包装体では、印刷層が表面に露出していないため、鞄などで携帯用包装体を持ち運んだときにも鞄内の他のものに印刷移りしない。また、融着層同士が熱融着しても印刷層のデザインが崩れることがない。
【００２９】
上記の携帯用包装体において、前記個包装体は、前記包装シートに貼り付けられたリードテープを有し、前記リードテープのつかみ部は、前記ファスナーとは反対側に向いていてもよい。
【００３０】
このような携帯用包装体では、携帯用包装袋から個包装体を取り出すときにリードテープ等が側面部やファスナーの内側に引っ掛かってめくれることが無いため、携帯用包装袋から個包装体を取り出し易くできる。
【００３１】
上記の携帯用包装体において、前記吸収コアは、前記吸収体の他の部分と比較して、厚みが大きい又は坪量が多くてもよい。
【００３２】
このような携帯用包装体では、厚みが大きい又は坪量が多く吸収性能が高い吸収コアが潰されることを抑制できるので、吸収性物品の性能を維持することができる。
【発明の効果】
【００３３】
本発明によれば、内包された吸収性物品の吸収コアが潰れることを抑制可能な携帯用の包装体を提供できる。
【図面の簡単な説明】
【００３４】
【図１】図１は本発明の実施の形態に係る携帯用包装体の構成例を模式的に示す斜視図である。
【図２】図２は本発明の実施の形態に係る携帯用包装体の構成例を模式的に示す正面図である。
【図３】図３は本発明の実施の形態に係る携帯用包装体の構成例を模式的に示す断面図である。
【図４】図４は携帯用包装体の携帯用包装袋のシートの構成例の部分断面を模式的に示す図である。
【図５】図５は携帯用包装体の個包装体の構成例を模式的に示す展開図である。
【図６】図６は携帯用包装体の個包装体の構成例を模式的に示す斜視図である。
【図７】図７は携帯用包装体の個包装体の構成例を模式的に示す断面図である。
【図８】図８は携帯用包装袋のファスナーを開放した様子を示す模式図である。
【図９】図９は携帯用包装袋から個包装体を取り出す様子を示す模式図である。
【発明を実施するための形態】
【００３５】
図１〜図３は、本発明の実施の形態に係る携帯用包装体１の構成例を模式的に示す斜視図、正面図及び断面図である。携帯用包装体１は、吸収性物品を含む個包装体を複数枚収納した、持ち運び容易な携帯用の包装体である。携帯用包装体１は、複数の個包装体２と、複数の個包装体２を内包する携帯用包装袋３とを備えている。
【００３６】
携帯用包装袋３は、複数の個包装体２を収納可能な袋状に形成されており、互いに垂直に交わる高さ方向Ｌ０、幅方向Ｗ０及び厚み方向Ｄ０を有する。携帯用包装袋３は、持ち運び容易な大きさを有しており、例えば個包装体２が４枚の場合には高さ方向Ｌ０の長さを１６０ｍｍ程度、幅方向Ｗ０の長さを１１０ｍｍ程度とすることができる。
【００３７】
携帯用包装袋３は、底面部１１と、底面部１１の周縁から立設された筒状の側面部１２と、側面部１２における底面部１１とは反対側の上端部１９から所定距離だけ低い位置に設けられたファスナー１４と、を備えている。
【００３８】
底面部１１は、概ね楕円の形状を有し、本実施の形態では長軸の両端に対応する部分がとがった形状を有する。底面部１１は、携帯用包装袋３が正立位置で自立姿勢を維持可能とする底面積を有しており、それにより携帯用包装袋３はいわゆるスタンディングパウチと称される自立可能な形態に形成されている。携帯用包装体１が自立姿勢をとれると、例えばトイレットペーパーのカバーのような狭い領域上に携帯用包装体１を自立させることができ、衛生的でない環境下でも携帯用包装体を手で持ち続ける必要がなくなる。また、販売店で棚に陳列されたとき、他の同種商品と比較して陳列姿勢を見栄えを良くでき、差別化ができる。
【００３９】
側面部１２は、概ね矩形形状を有する第１の側面部１２ａ及び第２の側面部１２ｂを備え、第１の側面部１２ａの幅方向Ｗ０に対向する二辺と第２の側面部１２ｂの幅方向Ｗ０に対向する二辺とが互いに接合されて形成される。このとき、第１の側面部１２ａの二辺と第２の側面部１２ｂの二辺とが接合された部分として、高さ方向Ｌ０の下端部から上端部１９まで延びる第１の側縁部１２ｐ１及び第２の側縁部１２ｐ２が形成される。
【００４０】
携帯用包装袋３は、底面部１１用のシートの周縁部分と第１の側面部１２ａ及び第２の側面部１２ｂ用の各シートの下端部とを熱融着させると共に、第１の側面部１２ａ用のシートの二辺と第２の側面部１２ｂ用のシートの二辺とを熱融着させることにより、全体として袋状に成形される。
【００４１】
ファスナー１４は、携帯用包装袋３の開閉、すなわち開放及び封止が可能であり、側面部１２の上端部１９から所定距離だけ低い位置に設けられている。所定距離は、例えば個包装体２が４枚の場合には２０〜４０ｍｍ程度とすることができる。ファスナー１４は、第１の側面部１２ａ及び第２の側面部１２ｂの各内面に一組のファスナー部材を取付けて構成される。そのファスナー部材は第１の側面部１２ａ及び第２の側面部１２ｂの幅方向Ｗ０の全体に亘って相互に線状の凹部材と凸部材とを嵌め合わせるものであり、繰り返して開放・封止可能になっている。
【００４２】
携帯用包装袋３の側面部１２のファスナー１４の上方には、ファスナー１４が開くことで形成される開口部が開放されないように融着部１６が設けられている。融着部１６は、第１の側面部１２ａと第２の側面部１２ｂとが幅方向Ｗ０の全体に亘って線状に熱融着されて形成される。それにより、融着部１６は、意図せずにファスナー１４が開口した場合でも、携帯用包装袋３内が封止された状態を維持できる。
【００４３】
ただし、携帯用包装体１を開封するとき、ファスナー１４よりも上方の融着部１６を含む部分を容易に切除可能にするために、例えば第２の側縁部１２ｐ２のファスナー１４と融着部１６との間に切り込み部１７が設けられる。個包装体２の使用時には、切り込み部１７を通る幅方向Ｗ０の仮想線ＣＬに沿って切り込み部１７から切り込みを入れて携帯用包装袋３の上部を切除し、ファスナー１４の開放により個包装体２が取り出し可能な状態にする。さらに、ファスナー１４より上部に第１の側面部１２ａ及び第２の側面部１２ｂがある程度残るように切り込み部１７の切り込み位置を調整しておくことで、ファスナー１４より上方の第１の側面部１２ａ及び第２の側面部１２ｂの端をつまみ易くできる。
【００４４】
携帯用包装袋３の側面部１２の融着部１６より上方には取手穴１５が設けられている。取手穴１５は、第１の側面部１２ａ及び第２の側面部１２ｂの各シートの上部を打抜いて形成される。取手穴１５は、ファスナー１４より上方に形成されるので、携帯用包装袋３内の密閉機能には何ら影響しない。
【００４５】
取手穴１５は、携帯用包装体１を取り扱うときには、その取手穴１５に手指を差し込んで携帯用包装体１を持ち運ぶことができる。それにより、不衛生な外出先やトイレ内で吸収性物品を使用する場合でも、携帯用包装体１をつかみやすいため、床等に落とすことを抑制できる。また、携帯用包装体１を販売等する場合、取手穴１５を陳列用フックに引っ掛けるようにして携帯用包装体１を陳列することができる。それにより、限られたスペースの店頭でも省スペースで陳列でき、かつ顧客の目に付き易くできる。
【００４６】
携帯用包装袋３の側面部１２におけるファスナー１４よりやや下方の位置には、部分的に内部を透視できる透明部１８が設けられる。透明部１８は、携帯用包装袋３内部の個包装体２の端部（折端）が見える箇所に設けられる。透明部１８以外の部分は、内部が透視できない不透明な部分とする。
【００４７】
このように、透明部１８を形成することで、ファスナー１４を開けなくても携帯用包装袋３に格納された吸収性物品の残りの枚数、品質、色、形状、構造、状態などを容易に確認できる。それにより、ファスナー１４を開けなくてもよいため衛生的であり、手持ちを切らしてしまうことを防ぐことができる。また、使用後の吸収性物品を携帯用包装袋３に収納して持ち運ぶとき携帯用包装袋３の中身を見え難くでき、汚れ部分が広範囲に見えてしまうことを防止できる。それにより、人目を気にする心配がなく、不快な気分になることもなくなる。
【００４８】
携帯用包装袋３は、例えばポリエチレン樹脂シートのような防ろ性を有するシートを含んで形成される。携帯用包装袋３のシートは、気体や液体の透過が困難な性質、すなわちガスバリア性を有することが好ましい。ここでガスバリア性とは、酸素、窒素、二酸化炭素、水蒸気のような気体が透過し難い性質を示し、ここでは気体の代表例として酸素を用いて酸素透過係数で表すと、１０００［ｃｃ・２０μｍ／（ｍ２・ｄａｙ・ａｔｍ）］以下のものをいい、好ましくは１００［ｃｃ・２０μｍ／（ｍ２・ｄａｙ・ａｔｍ）］以下のものをいう。
【００４９】
図４は携帯用包装袋３のシート４０の構成例の部分断面を模式的に示す図である。携帯用包装袋３を構成するシート４０は、ガスバリア層４１と融着層４２とを含んでいる。ここで、ガスバリア層４１の材料としては、例えばエチルビニルアルコール樹脂、アルミニウム被着フィルム及びアルミ箔、延伸ポリエチレンテレフタレート、グリコール変性ポリエチレンテレフタレート、延伸ポリアミド、芳香族ポリアミド、揮発性不透過性ラッカーでコーティングされたポリマーフィルム、及び、これらの組み合わせから成るグループから選択される材料が挙げられる。融着層４２の材料としては、ポリエチレン（ＰＥ）、ポリプロピレン（ＰＰ）、ポリ塩化ビニル（ＰＶＣ）、及び、これらの組み合わせから成るグループから選択される材料が挙げられる。
【００５０】
携帯用包装袋３において、ガスバリア層４１は携帯用包装袋３の外側面を構成し、融着層４２は携帯用包装袋３の内側面を構成する。携帯用包装袋３は、ガスバリア層４１と融着層４２とが積層されたガスバリア性を有するシート４０で形成されるため、携帯用包装袋３内部の物質が外部環境へ暴露されること、例えば臭気や液体が外部へ漏れることを防止できる。また、シート４０に熱融着性があるためシート４０同士を熱融着で接合するなど容易に加工することができる。
【００５１】
携帯用包装袋３（シート４０）の厚さとしては、例えば２０〜１００μｍ程度が挙げられ、好ましくは３０〜６０μｍが挙げられる。また、ガスバリア層４１の厚さは融着層４２の厚さより薄いほうが好ましい。携帯用包装袋３のガスバリア性が維持され、かつ、携帯用包装袋３が硬くなり過ぎず使用感が良いからである。また、融着層４２が厚いので携帯用包装袋３内での剥離を起こり難くできる。ガスバリア層４１の厚さとしては、例えば２〜２５μｍ程度が挙げられ、好ましくは５〜２０μｍが挙げられる。融着層４２の厚さとしては、例えば１５〜７５μｍ程度が挙げられ、好ましくは２０〜５０μｍが挙げられる。本実施形態ではガスバリア層４１の厚みは例えば１２μｍとされ、融着層の厚みは４０μｍとされる。
【００５２】
携帯用包装袋３がガスバリア性を有するので、携帯用包装袋３内部の気体が外部へ漏れ出なくなる。それにより、使用後の吸収性物品を包装シートに包み携帯用包装袋３に収納して持ち運ぶときに臭いの漏れを防ぐことができる。また、携帯用包装体１が外力を受けても携帯用包装袋３内部の気体が外部へ漏れ出ないので、携帯用包装袋３の変形やそれに伴う携帯用包装袋３内部の気体の移動や圧縮などで外力のエネルギーを分散させ、携帯用包装袋全体で吸収することができ、それにより個包装体の変形を抑制することができる。
【００５３】
携帯用包装袋３は、更に、ガスバリア層４１と融着層４２との間に配設された印刷層４３を含んでいる。印刷層４３は、印刷が施された別のシートを用いてもよいし、ガスバリア層４１の融着層４２側の面や融着層４２のガスバリア層４１側の面に印刷を施して形成してもよい。印刷層４３がガスバリア層４１と融着層４２との間に形成されていることで、印刷面が携帯用包装袋３の表面に露出しないようにでき、携帯用包装体１を持ち運ぶときに、鞄などの中で擦れて他の物に色移りしてしまうことや、印刷が崩れて見栄えが悪くなることを防止できる。また、融着層４２（接着部）同士を融着しようとしたときに印刷層４３がそれを邪魔することがなく、意図せずに融着層４２同士が融着しても印刷層４３のデザインが崩れることがない。なお、携帯用包装袋３が単層シートの場合、印刷層は単相シートの内側に施されることで、持ち運び時に鞄に擦れて色移りしてしまう心配がないようにできる。
【００５４】
個包装体２は、吸収コア２４を有する吸収体を含む吸収性物品と、吸収性物品を包む包装シートとを備えている。個包装体２は、吸収性物品と包装シートとが積層され折り畳まれた形状、すなわち略平坦な薄板のような形状を有しており、個包装体２は、その薄い側面で底面部１１に立つように携帯用包装袋３内に配置される。したがって、個包装体２は、高さ方向Ｌ０に対して個包装体２の厚み方向が交差するように携帯用包装袋３内に配置される。このとき、携帯用包装袋３内の個包装体２の高さ方向、幅方向及び厚み方向は、ほぼ携帯用包装袋３の高さ方向Ｌ０、幅方向Ｗ０及び厚み方向Ｄ０と重なるので、以下では携帯用包装袋３内の個包装体２についても高さ方向、幅方向及び厚み方向として、高さ方向Ｌ０、幅方向Ｗ０及び厚み方向Ｄ０を用いる。
【００５５】
個包装体２は、携帯用包装袋３内に配置された状態において、ファスナー１４に向かい合う第１の端部２Ｔ１と、第１の端部２Ｔ１の反対側にあり底面部１１に向かい合う第２の端部２Ｔ２とを有する。このとき、個包装体２内にある吸収コア２４のファスナー１４側の端部２４Ｔ１は、個包装体２の第１の端部２Ｔ１から底面部１１側へ離間している。一方、吸収コア２４の底面部１１側の端部２４Ｔ２は、個包装体２の第２の端部２Ｔ２からファスナー１４側へ離間している。したがって、個包装体２には、吸収コア２４の端部２４Ｔ１、２４Ｔ２の外側に吸収コア２４のない外縁部２ａ、２ｂが存在する。
【００５６】
本実施の形態では、吸収コア２４のファスナー１４側の端部２４Ｔ１が、個包装体２の第１の端部２Ｔ１から離間している。それにより、携帯用包装袋３のファスナー１４近傍の部分が潰され、個包装体２の第１の端部２Ｔ１近傍の外縁部２ａが潰されても、吸収コア２４が潰されることを抑制できる。また、本実施の形態では、吸収コア２４の底面部１１側の端部２４Ｔ２が、個包装体２の第２の端部２Ｔ２から離間している。それにより、携帯用包装袋３のファスナー１４近傍の部分が外力により圧迫されて個包装体２が底面部１１側に押し出されても、第２の端部２Ｔ２付近の外縁部２ｂが変形することにより外力を吸収・緩和するので、吸収コア２４の底面部１１側の部分が底面部１１に押し付けられて変形することを抑制できる。
【００５７】
また、個包装体２は、携帯用包装袋３内に配置された状態において、第１の側縁部１２ｐ１に向かい合う第３の端部２Ｔ３と、第３の端部２Ｔ３の反対側にあり第２の側縁部１２ｐ２に向かい合う第４の端部２Ｔ４とを有する。このとき、個包装体２内にある吸収コア２４の第１の側縁部１２ｐ１側の端部２４Ｔ３は、個包装体２の第３の端部２Ｔ３から離間している。一方、吸収コア２４の第２の側縁部１２ｐ２側の端部２４Ｔ４は、個包装体２の第４の端部２Ｔ４から離間している。したがって、個包装体２には、吸収コア２４の端部２４Ｔ３、２４Ｔ４の外側に吸収コア２４のない外縁部２ｃ、２ｄが存在する。
【００５８】
本実施の形態では、吸収コア２４の第１、第２の側縁部１２ｐ１、１２ｐ２側の端部２４Ｔ３、２４Ｔ４が個包装体２の第３、第４の端部２Ｔ３、２Ｔ４から離間している。それにより、携帯用包装袋３の第１、第２の側縁部１２ｐ１、１２ｐ２近傍の部分が潰され、個包装体２の第３、第４の端部２Ｔ３、２Ｔ４近傍の外縁部２ｃ、２ｄが潰されても、吸収コア２４が潰されることを抑制できる。
【００５９】
個包装体２は香料を有している。香料は個包装体２の包装シートに付与されていてもよいし、個包装体２の内の吸収性物品に付与されていてもよい。香料としては、従来公知の液状の香料を特に制限なく用いることができる。例えば、アニソールやベンズアルデヒドのような沸点が約２５０℃以下の高揮発性のもの、又は、アミルシンナムアルデヒド、ジヒドロジャスモン酸メチルのような沸点が約２５０〜約３００℃の中揮発性のもの、あるいは、いわゆるグリーンハーバル様香気を有するものなど、吸収性物品に使用するものとして適切なものを用いることができる。
【００６０】
香料を有する個包装体２を用いることで、使用後の吸収性物品を包装シートに収納して持ち運ぶときに、使用後の吸収性物品から拡散する臭いを香料により打ち消すことができる。また、携帯用包装袋３内で揮発した香料の蒸気圧分だけ携帯用包装袋３内の圧力が梱包のときの圧力よりも高くなる。そのため、携帯用包装体１が外力を受けても、外力のエネルギーをより分散させ、携帯用包装袋３全体でより吸収することができ、それにより、個包装体に加わる外力をより緩和して、より変形を抑制することができる。更に、携帯用包装袋がガスバリア性を有するので、販売等で陳列しているとき、吸収性物品の香料を外に逃がさないようにすることができる。 
【００６１】
携帯用包装袋３内の圧力は標準気圧よりも高いことが好ましい。携帯用包装袋３内の圧力が標準気圧（１０１３２５Ｐａ）よりも高いため、携帯用包装体１が外力を受けても、外力のエネルギーをより分散させ、携帯用包装袋３全体でより吸収することができ、それにより、個包装体２に加わる外力をより緩和して、より変形を抑制することができる。携帯用包装袋３内の圧力は、圧力計に接続されたプローブをファスナー１４から差し込んで測定する方法が挙げられる。
【００６２】
図５〜図７は携帯用包装体の個包装体の構成例を模式的に示す斜視図、展開図及び断面図である。図５は個包装体２が展開された状態を示している。個包装体２は、吸収性物品２０と、吸収性物品２０を内包する包装シート３０と、を備えている。吸収性物品２０及び包装シート３０は、従来知られた材料を用いることができる。また、吸収性物品２０は、生理用ナプキンや軽失禁パッドなど、包装シート３０によって個別に包装される各種吸収性物品であれば任意のものが選択されるが、本実施の形態では吸収性物品２０が生理用ナプキンである場合について説明する。また、包装シート３０としては、例えば不織布シートやポリエチレンシートを用いることができる。
【００６３】
吸収性物品２０は長手方向Ｌ１及び幅方向Ｗ１を有する。ここで、吸収性物品２０は包装シート３０に積層された状態にあるため、包装シート３０の長手方向及び幅方向についても、長手方向Ｌ１及び幅方向Ｗ１とする。
【００６４】
包装シート３０は矩形形状のシートであり、平面視で吸収性物品２０よりも一回り大きい大きさを有する。包装シート３０の長手方向Ｌ１の一方の端部３０ａであって幅方向Ｗ１の中央部にはリードテープ２５が貼り付けられている。リードテープ２５は半分が包装シート３０の端部３０ａに粘着剤で貼り付けられ、残り半分は粘着剤が付着され、個包装体２を折り畳むときに包装シート３０の端部３０ｂ近傍に貼り付けられる。その残り半分の先端には粘着剤が付着していないつかみ部２５ａが形成され、指先でつまみ易いようになっている。
【００６５】
吸収性物品２０は、包装シート３０上に積層された液不透過性のバックシート２２と、バックシート２２上に積層され液透過性のトップシート２１と、バックシート２２とトップシート２１との間に介設された吸液性を有する吸収体２３とを備えている。トップシート２１は、長手方向Ｌ１の中央部の両側に幅方向Ｗ１に延びるフラップ部２１ＷＬ、２１ＷＲを有している。
【００６６】
吸収体２３は、コアラップ層２３ａと、長手方向Ｌ１及び幅方向Ｗ１における吸収体２３の概ね中央部に、コアラップ層２３ａよりも吸液性の高い吸収コア２４を含んでいる。吸収コア２４としては、コアラップ層２３ａとは別部材として形成され、コアラップ層２３ａの内部又は表面に配設された部材が挙げられる。あるいは、吸収コア２４としては、コアラップ層２３ａ内の部分的に厚みが厚くなっている領域、又は、部分的に坪量が多くなっている領域が挙げられる。
【００６７】
吸収性物品２０及び包装シート３０は、展開された状態において、長手方向Ｌ１において、吸収コア２４の端部２４Ｔ１、２４Ｔ２の外側に、幅方向Ｗ１に沿って設けられた一対の第１の折り目Ｐ１Ｔ、Ｐ１Ｂを有している。このとき、吸収コア２４の端部２４Ｔ１と第１の折り目Ｐ１Ｔとは距離ΔＬａ（＞０）で離間し、同様に吸収コア２４の端部２４Ｔ２と第１の折り目Ｐ１Ｂとは距離ΔＬａで離間している。ただし、端部２４Ｔ１と第１の折り目Ｐ１Ｔとの距離と、端部２４Ｔ２と第１の折り目Ｐ１Ｂとの距離とは、等しくなくてもよい。
【００６８】
一方、吸収性物品２０及び包装シート３０は、展開された状態において、幅方向Ｗ１において、吸収コア２４の端部２４Ｔ３、２４Ｔ４の外側に、長手方向Ｌ１に沿って設けられた一対の第２の折り目Ｐ２Ｌ、Ｐ２Ｒを更に有している。このとき、吸収コア２４の端部２４Ｔ３と第２の折り目Ｐ２Ｌとは距離ΔＬｂ（＞ｂ）で離間し、同様に吸収コア２４の端部２４Ｔ４と第２の折り目Ｐ２Ｒとは距離ΔＬｂで離間している。ただし、端部２４Ｔ３と第２の折り目Ｐ２Ｌとの距離と、端部２４Ｔ４と第２の折り目Ｐ２Ｒとの距離とは、等しくなくてもよい。
【００６９】
言い換えると、吸収コア２４は第１の折り目Ｐ１Ｔ、Ｐ１Ｂ及び第２の折り目Ｐ２Ｌ、Ｐ２Ｒで画定される領域の内側に、領域の外縁（各折り目）から離れた位置に形成されている。
【００７０】
吸収性物品２０及び包装シート３０は積層された状態で、まず第２の折り目Ｐ２Ｌで折り畳まれ、続いて第２の折り目Ｐ２Ｒで更に折り畳まれる。次に第１の折り目Ｐ１Ｂで折り畳まれ、その後第１の折り目Ｐ１Ｔで折り畳まれる。そして、包装シート３０の長手方向Ｌ１の一方の端部３０ａに貼り付けられていたリードテープ２５の半分を、包装シート３０の長手方向Ｌ１の他方の端部３０ｂ近傍に貼り付けて、折り畳まれた個包装体２が完成する。このとき、第１の折り目Ｐ１Ｔ、Ｐ１Ｂ及び第２の折り目Ｐ２Ｌ、Ｐ２Ｂは、吸収コア２４の外側にあるので、吸収コア２４は略平面状態のまま折れ曲がっておらず、途中で急角度に屈曲した箇所がない。言い換えると、吸収コア２４は、その厚み方向から見て、吸収コア２４のどの部分も吸収コア２４の他の部分と重なっていない。
【００７１】
図６及び図７は個包装体２が折り畳まれた状態を示している。
個包装体２において、第１の端部２Ｔ１及び第２の端部２Ｔ２は、吸収性物品２０及び包装シート３０が第１の折り目Ｐ１Ｔ及び第１の折り目Ｐ１Ｂで折り畳まれることにより形成され、第３の端部２Ｔ３及び第４の端部２Ｔ４は、吸収性物品２０及び包装シート３０が第２の折り目Ｐ２Ｌ及び第２の折り目Ｐ２Ｒで折り畳まれることにより形成される。したがって、第１の端部２Ｔ１及び第２の端部２Ｔ２は個包装体２の第１の折り目Ｐ１Ｔ及び第１の折り目Ｐ１Ｂに対応する部分ということができ、第３の端部２Ｔ３及び第４の端部２Ｔ４は個包装体２の第２の折り目Ｐ２Ｌ及び第２の折り目Ｐ２Ｒに対応する部分ということができる。
【００７２】
個包装体２内にある吸収コア２４の第１の端部２Ｔ１側の端部２４Ｔ１は、個包装体２の第１の端部２Ｔ１から距離ΔＬａ＋α（α＝トップシート２１の厚み＋バックシート２２の厚み＋コアラップ層２３ａの厚み、以下同じ）だけ離間している。同様に個包装体２内にある吸収コア２４の第２の端部２Ｔ２側の端部２４Ｔ２は、個包装体２の第２の端部２Ｔ２から距離ΔＬａ＋αだけ離間している。個包装体２の距離ΔＬａの部分、すなわち外縁部２ａは、吸収コア２４が存在していない。そのため、吸収性物品２０内では相対的に薄く、指先で容易につまむことが可能な形状になっている。また、個包装体２の距離ΔＬａの部分、すなわち外縁部２ｂは、吸収コア２４が存在せず、吸収性物品２０内では相対的に薄いが、第１の端部２Ｔ１から第２の端部２Ｔ２へ向かって外力が加わった場合にその外力を押し戻す弾性力を有している。ここで、コアラップ層２３ａは第１の折り目Ｐ１Ｂで折り返されて、第１の折り目Ｐ１Ｂを超えて更に延在している。そのため、コアラップ層２３ａ外力を押し戻す弾性力を補強している。
【００７３】
一方、個包装体２内にある吸収コア２４の第３の端部２Ｔ３側の端部２４Ｔ３は、個包装体２の第３の端部２Ｔ３から距離ΔＬｂ＋αだけ離間している。同様に個包装体２内にある吸収コア２４の第４の端部２Ｔ４側の端部２４Ｔ４は、個包装体２の第２の端部２Ｔ４から距離ΔＬｂ＋αだけ離間している。個包装体２の距離ΔＬｂの部分、すなわち外縁部２ｃ、２ｄは、吸収コア２４が存在せず、吸収性物品２０内では相対的に薄いが、第３の端部２Ｔ３及び第４の端部２Ｔ４のいずれか一方から他方へ向かって外力が加わった場合にその外力を押し戻す弾性力は有している。
【００７４】
したがって、個包装体２が折り畳まれた状態で携帯用包装袋３内に収納されるとき、図２、図３に示すように、個包装体２は、第１の折り目Ｐ１Ｔに対応する第１の端部２Ｔ１がファスナー１４に向かい合い、第１の折り目Ｐ１Ｂに対応する第２の端部２Ｔ２が底面部１１に向かい合うように配置され、かつ、第２の折り目Ｐ２Ｌに対応する第３の端部２Ｔ３が第１の側縁部１２ｐ１に向かい合い、第２の折り目Ｐ２Ｒに対応する第４の端部２Ｔ４が第２の側縁部１２ｐ２に向かい合うように携帯用包装袋３内に配置される。
【００７５】
このように、本実施形態では、携帯用包装袋３内に収容される吸収コア２４を有する吸収性物品２０は、折り畳まれ、重ねられた状態で単一の包装シート３０で一体包装され、個包装体２とされている。したがって、携帯用包装体１では、折り畳まれた状態の折端、すなわち第１〜第４の端部２Ｔ１〜２Ｔ４近傍には吸収コア２４が存在しないようになっており、したがってファスナー１４近傍には吸収コア２４が存在しないように構成されている。
【００７６】
なお、複数の個包装体２を単一の包装材で一体包装していてもよい。その場合、複数の個包装体２を携帯用包装袋３内に収容するときの作業を容易に行うことができる。その場合、透明部１８を介して外部から個包装体２を視認可能となるように、その包装材としては例えば透明なフィルムを使用することが好ましい。
【００７７】
また、図１〜図３に示すように、本実施の形態では、個包装体２の第１の折り目Ｐ１Ｔ、Ｐ１Ｂが幅方向Ｗ０に伸びているので、個包装体２の第１の折り目Ｐ１Ｔ、Ｐ１Ｂの部分は個包装体２の他の部分と比較して変形し難い、すなわち剛性が高い。そのため、携帯用包装体１に幅方向Ｗ０から外力が加わっても、個包装体２が潰れにくく、したがって吸収コア２４が潰れにくい。同様に、個包装体２の第２の折り目Ｐ２Ｌ、Ｐ２Ｒが高さ方向Ｌ０に伸びているので、個包装体２の第２の折り目Ｐ２Ｌ、Ｐ２Ｒの部分は個包装体２の他の部分と比較して変形し難い、すなわち剛性が高い。そのため、携帯用包装体１に高さ方向Ｌ０から外力が加わっても、個包装体２が潰れにくく、したがって吸収コア２４が潰れにくい。
【００７８】
また、図３に示すように、個包装体２が携帯用包装袋３内に収納された状態では、携帯用包装袋３の側面部１２と個包装体２との間には部分的に隙間５が生じ、側面部１２と個包装体２とが直接接触しない部分ができる。言い換えると、個包装体２における包装シート３０と吸収コア２４とが重なる包装シート３０内の領域に側面部１２と直接接触しない部分が存在する。
【００７９】
このように包装シート３０と吸収コア２４とが重なる包装シート３０内の領域に側面部１２と直接接触しない部分を設けることで、使用者が鞄などの中に入れて携帯用包装体を持ち運ぶとき、携帯用包装体が外力で変形しても、携帯用包装袋が緩衝材の役割を果たすので、個包装体が潰れ難くできる。
【００８０】
また、図１と図６とで示されるように、個包装体２が折り畳まれた状態で携帯用包装袋３内に収納されるとき、個包装体２の包装シート３０の端部３０ｂ近傍に貼り付けられたリードテープ２５のつかみ部２５ａは、ファスナー１４側とは反対側の底面部１１側に向いている。このようにすると、携帯用包装袋３から個包装体２を取り出すときにリードテープ２５や包装シート３０の端部３０ｂが側面部１２やファスナー１４の内側に引っ掛かってめくれることが無いため、携帯用包装袋３から個包装体２を取り出し易くできる。
【００８１】
図８は、携帯用包装袋３のファスナー１４を開放した様子を示す模式図である。携帯用包装体１の携帯用包装袋３では、ファスナー１４を開放し、携帯用包装袋３を開口しても、開口部の幅Ｑは必ずしも大きくできない。このような状態で携帯用包装袋３から個包装体２を取り出そうとするときには、開口部に指Ｆを入れ、個包装体２の手前側の第１の端部２Ｔ１付近を指先でつまんで取り出すことになる。
【００８２】
図９は、携帯用包装袋３から個包装体２を取り出す様子を示す模式図である。個包装体２の第１の端部２Ｔ１付近、すなわち個包装体２の外縁部２ａを指先でつまんで携帯用包装袋３から個包装体２を取り出すとき、外縁部２ａは吸収コア２４を含んでいない。そのため、個包装体２の取り出しのときに吸収コア２４までつまんでしまうおそれがなく、吸収コアをつまんで潰してしまうことを抑制できる。また、外縁部２ａは相対的に薄いため、第１の端部２Ｔ１付近で個包装体２をつまみ易く、取り出しの作業を容易にすることができる。
【００８３】
以上説明されたように、本実施の形態の携帯用包装体１では、吸収性物品２０の吸収体２３における吸収コア２４の配置や、吸収性物品２０の折り畳み方や、個包装体２における吸収コア２４の配置や、携帯用包装袋３における個包装体２の配置などについて種々の特徴を適切に組み込むことにより、内部に収納された吸収性物品の吸収コアが変形することを抑制可能な携帯用の包装体を提供することが可能となっている。
【００８４】
本実施形態の携帯用包装体１は、個包装体２が携帯用包装袋３内に収容され、ファスナー１４と融着部１６により携帯用包装袋３の開口部が封止された状態で出荷される。そして、携帯用包装体１は、例えば、販売店の陳列棚に１個ずつ自立姿勢で陳列されたり、陳列用フックに取手穴１５が引っ掛けられて陳列されたりする。
【００８５】
また、本実施形態の携帯用包装体１は、例えば、携帯用として使用者に購入され、使用者が出掛けるときに１日分として携帯され、外出先で使用される。使用開始時には、切り込み部１７から携帯用包装袋３の上端部１９近傍の部分を切り離して使用される。
【００８６】
使用していた吸収性物品２０を新しい吸収性物品２０と取り替えるときには、例えば、携帯用包装袋３のファスナー１４を開放して第１の側面部１２ａ及び第２の側面部１２ｂを広げて、携帯用包装袋３の開口部から内部の個包装体２すべてを取り出し、そのうちの１枚の個包装体２の吸収性物品２０を装着し替えるとともに、使用済みの汚れた吸収性物品２０を空になった携帯用包装袋３の内に収容して、携帯用包装袋３の開口部をファスナー１４で密封する。
【００８７】
このように、汚れた吸収性物品２０を携帯用包装袋３の内に封入すると、汚物からの臭気（悪臭）が外部に漏れることがないので、衛生的であり、且つ家に持ち帰るまで周囲に気遣いしなくて済む。なお、携帯用包装袋３のから取り出した残りの個包装体２の吸収性物品２０（新品）は、きれいなままであるので、そのまま適宜別の場所（例えばポーチ内）に収容・保管しておくことができる。
【００８８】
ただし、個包装体２を１枚だけ取り出し装着し替えて、使用済みの汚れた吸収性物品２０をトイレなどの所定の場所に廃棄してもよい。
【符号の説明】
【００８９】
２    個包装体
２Ｔ１    第１の端部
３    携帯用包装袋
１１    底面部
１２    側面部
１４    ファスナー
１９    上端部
２４    吸収コア
２４Ｔ１    端部
【図１】
0006305385.tif 000002
【図２】
0006305385.tif 000003
【図３】
0006305385.tif 000004
【図４】
0006305385.tif 000005
【図５】
0006305385.tif 000006
【図６】
0006305385.tif 000007
【図７】
0006305385.tif 000008
【図８】
0006305385.tif 000009
【図９】
0006305385.tif 000010